(57)【要約】      （修正有）【課題】利用者の拘束時間を短縮する。【解決手段】リーダライタ部が、利用者が所持する携帯端末装置またはダウンロード券からＩＤｍまたは取得先ＵＲＬをキー情報として読み取り、購入履歴特定部が、リーダライタ部によって読み取られたキー情報に基づいて利用者の購入履歴を特定し、表示処理部が、購入履歴特定部によって特定された購入履歴に基づいてデジタルコンテンツの選択画面を操作・表示部へ表示させるようにデジタルコンテンツ販売装置を構成する。【選択図】図１
2011258028.tif 000002
【特許請求の範囲】
【請求項１】
デジタルコンテンツの販売を行うデジタルコンテンツ販売装置であって、
利用者が所持する所定の情報媒体からキー情報を読み取る情報読取手段と、
前記情報読取手段によって読み取られたキー情報に基づいて前記利用者の購入履歴を特定する購入履歴特定手段と、
前記購入履歴特定手段によって特定された購入履歴に基づいてデジタルコンテンツの選択画面を所定のディスプレイへ表示させる表示処理手段と
を備えたことを特徴とするデジタルコンテンツ販売装置。
【請求項２】
前記情報読取手段は、
前記デジタルコンテンツの購入時に発行される記録媒体であって、当該デジタルコンテンツの取得先情報を含んだバーコードが付加された記録媒体から前記バーコードを前記キー情報として読み取り、
前記購入履歴特定手段は、
前記情報読取手段によって読み取られたバーコードに含まれる取得先情報に基づいて前記利用者が購入したデジタルコンテンツを特定し、
前記表示処理手段は、
前記購入履歴特定手段によって特定されたデジタルコンテンツに関連する他のデジタルコンテンツを選択候補として含んだ選択画面を前記所定のディスプレイへ表示させることを特徴とする請求項１に記載のデジタルコンテンツ販売装置。
【請求項３】
前記情報読取手段は、
前記利用者が所持する携帯端末装置から当該携帯端末装置を識別する携帯識別情報を前記キー情報として読み取り、
前記購入履歴特定手段は、
各利用者が購入したデジタルコンテンツを当該利用者が所持する携帯端末装置の携帯識別情報と関連付けた購入履歴から前記情報読取手段によって読み取られた携帯識別情報と関連付けられたデジタルコンテンツを特定し、
前記表示処理手段は、
前記購入履歴特定手段によって特定されたデジタルコンテンツに関連する他のデジタルコンテンツを選択候補として含んだ選択画面を前記所定のディスプレイへ表示させることを特徴とする請求項１に記載のデジタルコンテンツ販売装置。
【請求項４】
前記表示処理手段は、
前記購入履歴特定手段によって特定されたデジタルコンテンツの続編を選択候補として含んだ選択画面を前記所定のディスプレイへ表示させることを特徴とする請求項２または３に記載のデジタルコンテンツ販売装置。
【請求項５】
前記購入履歴特定手段は、
前記利用者が購入したデジタルコンテンツの販売を行ったデジタルコンテンツ販売装置の設置区域を前記携帯識別情報とさらに関連付けた購入履歴を用い、前記情報読取手段によって読み取られた携帯識別情報と関連付けられたデジタルコンテンツの中から自装置と同一の設置区域と関連付けられたデジタルコンテンツを特定することを特徴とする請求項３に記載のデジタルコンテンツ販売装置。
【請求項６】
前記利用者によって購入されたデジタルコンテンツを当該利用者からの操作に応じて特定のデジタルコンテンツとして指定する指定手段
をさらに備え、
前記購入履歴特定手段は、
前記情報読取手段によって読み取られた携帯識別情報と関連付けられたデジタルコンテンツの中から前記指定手段によって特定のデジタルコンテンツとして指定されたデジタルコンテンツを特定することを特徴とする請求項３に記載のデジタルコンテンツ販売装置。
【請求項７】
前記表示処理手段は、
前記利用者によって予め指定されたデジタルコンテンツを選択項目として含んだカスタマイズ画面を所定のパスワードと関連付けたカスタマイズ情報から前記利用者によって入力されたパスワードと関連付けられたカスタマイズ画面を取得して前記所定のディスプレイへ表示させることを特徴とする請求項１〜６の何れか一つに記載のデジタルコンテンツ販売装置。
【請求項８】
デジタルコンテンツの販売を行うデジタルコンテンツ販売方法であって、
利用者が所持する所定の情報媒体からキー情報を読み取る情報読取工程と、
前記情報読取工程において読み取ったキー情報に基づいて前記利用者の購入履歴を特定する購入履歴特定工程と、
前記購入履歴特定工程において特定した購入履歴に基づいてデジタルコンテンツの選択画面を所定のディスプレイへ表示させる表示処理工程と
を含んだことを特徴とするデジタルコンテンツ販売方法。
【請求項９】
デジタルコンテンツの販売を行うデジタルコンテンツ販売装置と、前記デジタルコンテンツ販売装置を管理する管理装置とを含んだデジタルコンテンツ販売システムであって、
利用者が所持する所定の情報媒体からキー情報を読み取る情報読取手段と、
前記情報読取手段によって読み取られたキー情報に基づいて前記利用者の購入履歴を特定する購入履歴特定手段と、
前記購入履歴特定手段によって特定された購入履歴に基づいてデジタルコンテンツの選択画面を所定のディスプレイへ表示させる表示処理手段と
を備えたことを特徴とするデジタルコンテンツ販売システム。
【発明の詳細な説明】
【技術分野】
【０００１】
この発明は、デジタルコンテンツの販売を行うデジタルコンテンツ販売装置、デジタルコンテンツ販売方法およびデジタルコンテンツ販売システムに関し、特に、利用者の拘束時間を短縮することができるデジタルコンテンツ販売装置、デジタルコンテンツ販売方法およびデジタルコンテンツ販売システムに関する。
【背景技術】
【０００２】
従来、コンビニエンスストアや駅の構内等に設置され、電子書籍や楽曲あるいはゲームといった携帯端末装置向けのデジタルコンテンツを販売するデジタルコンテンツ販売装置が知られている（たとえば、特許文献１参照）。
【０００３】
かかるデジタルコンテンツ販売装置を用いてデジタルコンテンツを購入する場合、利用者は、たとえば、デジタルコンテンツの種別（電子書籍、動画、楽曲など）の選択やジャンルの選択あるいはコンテンツ名の入力といった複数の操作ステップを経たうえで所望のデジタルコンテンツを選択することとなる。
【先行技術文献】
【特許文献】
【０００４】
【特許文献１】特開２００２−１６３７２１号公報
【発明の概要】
【発明が解決しようとする課題】
【０００５】
しかしながら、上述した従来のデジタルコンテンツ販売装置には、利用者の拘束時間が長いという問題があった。これは、従来のデジタルコンテンツ販売装置が、デジタルコンテンツの購入完了までに多くの操作ステップを必要とするためである。
【０００６】
また、利用者の拘束時間が長いと、時間に余裕のない利用者からの利用が敬遠され、十分な収益を得られないおそれがある。特に、駅の構内等においては、１つでも早い電車に乗り込みたいという心理が働き易く、拘束時間が長いデジタルコンテンツ販売装置を設置したとしても、利用されない可能性が高い。
【０００７】
さらに、利用者一人ひとりがデジタルコンテンツ販売装置を長時間使用することとなるため、デジタルコンテンツ販売装置の回転率が低下する結果、十分な収益を得られないおそれもある。
【０００８】
これらのことから、利用者の拘束時間を短縮することができるデジタルコンテンツ販売装置、デジタルコンテンツ販売方法あるいはデジタルコンテンツ販売システムをいかにして実現するかが大きな課題となっている。
【０００９】
本発明は、上述した従来技術による問題点を解消するためになされたものであって、利用者の拘束時間を短縮することができるデジタルコンテンツ販売装置、デジタルコンテンツ販売方法およびデジタルコンテンツ販売システムを提供することを目的とする。
【課題を解決するための手段】
【００１０】
上述した課題を解決し、目的を達成するため、本発明は、デジタルコンテンツの販売を行うデジタルコンテンツ販売装置であって、利用者が所持する所定の情報媒体からキー情報を読み取る情報読取手段と、前記情報読取手段によって読み取られたキー情報に基づいて前記利用者の購入履歴を特定する購入履歴特定手段と、前記購入履歴特定手段によって特定された購入履歴に基づいてデジタルコンテンツの選択画面を所定のディスプレイへ表示させる表示処理手段とを備えたことを特徴とする。
【００１１】
また、本発明は、上記の発明において、前記情報読取手段は、前記デジタルコンテンツの購入時に発行される記録媒体であって、当該デジタルコンテンツの取得先情報を含んだバーコードが付加された記録媒体から前記バーコードを前記キー情報として読み取り、前記購入履歴特定手段は、前記情報読取手段によって読み取られたバーコードに含まれる取得先情報に基づいて前記利用者が購入したデジタルコンテンツを特定し、前記表示処理手段は、前記購入履歴特定手段によって特定されたデジタルコンテンツに関連する他のデジタルコンテンツを選択候補として含んだ選択画面を前記所定のディスプレイへ表示させることを特徴とする。
【００１２】
また、本発明は、上記の発明において、前記情報読取手段は、前記利用者が所持する携帯端末装置から当該携帯端末装置を識別する携帯識別情報を前記キー情報として読み取り、前記購入履歴特定手段は、各利用者が購入したデジタルコンテンツを当該利用者が所持する携帯端末装置の携帯識別情報と関連付けた購入履歴から前記情報読取手段によって読み取られた携帯識別情報と関連付けられたデジタルコンテンツを特定し、前記表示処理手段は、前記購入履歴特定手段によって特定されたデジタルコンテンツに関連する他のデジタルコンテンツを選択候補として含んだ選択画面を前記所定のディスプレイへ表示させることを特徴とする。
【００１３】
また、本発明は、上記の発明において、前記表示処理手段は、前記購入履歴特定手段によって特定されたデジタルコンテンツの続編を選択候補として含んだ選択画面を前記所定のディスプレイへ表示させることを特徴とする。
【００１４】
また、本発明は、上記の発明において、前記購入履歴特定手段は、前記利用者が購入したデジタルコンテンツの販売を行ったデジタルコンテンツ販売装置の設置区域を前記携帯識別情報とさらに関連付けた購入履歴を用い、前記情報読取手段によって読み取られた携帯識別情報と関連付けられたデジタルコンテンツの中から自装置と同一の設置区域と関連付けられたデジタルコンテンツを特定することを特徴とする。
【００１５】
また、本発明は、上記の発明において、前記利用者によって購入されたデジタルコンテンツを当該利用者からの操作に応じて特定のデジタルコンテンツとして指定する指定手段をさらに備え、前記購入履歴特定手段は、前記情報読取手段によって読み取られた携帯識別情報と関連付けられたデジタルコンテンツの中から前記指定手段によって特定のデジタルコンテンツとして指定されたデジタルコンテンツを特定することを特徴とする。
【００１６】
また、本発明は、上記の発明において、前記表示処理手段は、前記利用者によって予め指定されたデジタルコンテンツを選択項目として含んだカスタマイズ画面を所定のパスワードと関連付けたカスタマイズ情報から前記利用者によって入力されたパスワードと関連付けられたカスタマイズ画面を取得して前記所定のディスプレイへ表示させることを特徴とする。
【００１７】
また、本発明は、デジタルコンテンツの販売を行うデジタルコンテンツ販売方法であって、利用者が所持する所定の情報媒体からキー情報を読み取る情報読取工程と、前記情報読取工程において読み取ったキー情報に基づいて前記利用者の購入履歴を特定する購入履歴特定工程と、前記購入履歴特定工程において特定した購入履歴に基づいてデジタルコンテンツの選択画面を所定のディスプレイへ表示させる表示処理工程とを含んだことを特徴とする。
【００１８】
また、本発明は、デジタルコンテンツの販売を行うデジタルコンテンツ販売装置と、前記デジタルコンテンツ販売装置を管理する管理装置とを含んだデジタルコンテンツ販売システムであって、利用者が所持する所定の情報媒体からキー情報を読み取る情報読取手段と、前記情報読取手段によって読み取られたキー情報に基づいて前記利用者の購入履歴を特定する購入履歴特定手段と、前記購入履歴特定手段によって特定された購入履歴に基づいてデジタルコンテンツの選択画面を所定のディスプレイへ表示させる表示処理手段とを備えたことを特徴とする。
【発明の効果】
【００１９】
本発明によれば、情報読取手段が、利用者が所持する所定の情報媒体からキー情報を読み取り、購入履歴特定手段が、情報読取手段によって読み取られたキー情報に基づいて利用者の購入履歴を特定し、表示処理手段が、購入履歴特定手段によって特定された購入履歴に基づいてデジタルコンテンツの選択画面を所定のディスプレイへ表示させることとしたため、利用者の拘束時間を短縮することができるという効果を奏する。
【００２０】
また、本発明によれば、情報読取手段が、デジタルコンテンツの購入時に発行される記録媒体であって、当該デジタルコンテンツの取得先情報を含んだバーコードが付加された記録媒体からバーコードをキー情報として読み取り、購入履歴特定手段が、情報読取手段によって読み取られたバーコードに含まれる取得先情報に基づいて利用者が購入したデジタルコンテンツを特定し、表示処理手段が、購入履歴特定手段によって特定されたデジタルコンテンツに関連する他のデジタルコンテンツを選択候補として含んだ選択画面を所定のディスプレイへ表示させることとしたため、利用者は、少なくとも記録媒体に付加されたバーコードをデジタルコンテンツ販売装置に対して読み取らせるだけで、所望のデジタルコンテンツを選択することができる。したがって、利用者がデジタルコンテンツを選択するまでの操作ステップが少なくなる結果、利用者の拘束時間を短縮することができるという効果を奏する。
【００２１】
また、本発明によれば、情報読取手段が、利用者が所持する携帯端末装置から当該携帯端末装置を識別する携帯識別情報をキー情報として読み取り、購入履歴特定手段が、各利用者が購入したデジタルコンテンツを当該利用者が所持する携帯端末装置の携帯識別情報と関連付けた購入履歴から情報読取手段によって読み取られた携帯識別情報と関連付けられたデジタルコンテンツを特定し、表示処理手段が、購入履歴特定手段によって特定されたデジタルコンテンツに関連する他のデジタルコンテンツを選択候補として含んだ選択画面を所定のディスプレイへ表示させることとしたため、利用者は、少なくとも携帯端末装置をかざすだけで、所望のデジタルコンテンツを選択することができる。したがって、利用者がデジタルコンテンツを選択するまでの操作ステップが少なくなる結果、利用者の拘束時間を短縮することができるという効果を奏する。
【００２２】
また、本発明によれば、表示処理手段が、購入履歴特定手段によって特定されたデジタルコンテンツの続編を選択候補として含んだ選択画面を所定のディスプレイへ表示させることとしたため、利用者は、前回購入したデジタルコンテンツの続編を少ない操作ステップで選択させることができ、この結果、利用者の拘束時間を短縮することができるという効果を奏する。
【００２３】
また、本発明によれば、購入履歴特定手段が、利用者が購入したデジタルコンテンツの販売を行ったデジタルコンテンツ販売装置の設置区域を携帯識別情報とさらに関連付けた購入履歴を用い、情報読取手段によって読み取られた携帯識別情報と関連付けられたデジタルコンテンツの中から自装置と同一の設置区域と関連付けられたデジタルコンテンツを特定することとしたため、購入場所ごとに異なるデジタルコンテンツを購入したい利用者に対してデジタルコンテンツの選択画面を適切に表示させることができるという効果を奏する。
【００２４】
また、本発明によれば、指定手段が、利用者によって購入されたデジタルコンテンツを当該利用者からの操作に応じて特定のデジタルコンテンツとして指定し、購入履歴特定手段が、情報読取手段によって読み取られた携帯識別情報と関連付けられたデジタルコンテンツの中から指定手段によって特定のデジタルコンテンツとして指定されたデジタルコンテンツを特定することとしたため、利用者が継続的に購入しようとしているデジタルコンテンツの選択画面など利用者により適した選択画面を表示させることができるという効果を奏する。
【００２５】
また、本発明によれば、表示処理手段が、利用者によって予め指定されたデジタルコンテンツを選択項目として含んだカスタマイズ画面を所定のパスワードと関連付けたカスタマイズ情報から利用者によって入力されたパスワードと関連付けられたカスタマイズ画面を取得して所定のディスプレイへ表示させることとしたため、利用者は、自分好みにカスタマイズされた選択画面を表示させることができ、所望のデジタルコンテンツを迅速に選択することができるという効果を奏する。また、カスタマイズ画面を予め作成しておくことで、カスタマイズ画面を作成しようとする利用者によってデジタルコンテンツ販売装置が長時間占領されることを防止することもできる。
【図面の簡単な説明】
【００２６】
【図１】図１は、本発明に係るデジタルコンテンツ販売手法の概要を示す図である。
【図２】図２は、本実施例に係るデジタルコンテンツ販売システムのネットワーク構成を示す図である。
【図３】図３は、デジタルコンテンツ販売装置およびプロキシサーバの構成を示すブロック図である。
【図４】図４は、購入履歴情報に基づく選択画面表示処理の動作例を示した図である。
【図５】図５は、購入履歴情報に基づく選択画面表示処理の他の動作例を示した図である。
【図６】図６は、利用者による画面操作の一例を示す図である。
【図７】図７は、購入履歴情報に基づく選択画面表示処理の他の動作例を示した図である。
【図８】図８は、デジタルコンテンツ販売装置およびプロキシサーバ間で実行される処理手順を示すシーケンス図である。
【図９】図９は、お気に入り指定に基づく優先表示処理の動作例を示した図である。
【図１０】図１０は、カスタマイズ画面の表示処理の動作例を示した図である。
【図１１】図１１は、ダウンロード券を用いた選択画面表示処理の動作例を示す図である。
【発明を実施するための形態】
【００２７】
以下に添付図面を参照して、本発明に係るデジタルコンテンツ販売手法を適用したデジタルコンテンツ販売装置、デジタルコンテンツ販売方法およびデジタルコンテンツ販売システムの実施例を詳細に説明する。なお、以下では、本発明に係るデジタルコンテンツ販売手法の概要について図１を用いて説明した後に、本発明に係るデジタルコンテンツ販売手法を適用した実施例を図２〜図１１を用いて説明することとする。
【００２８】
まず、実施例の詳細な説明に先立って、本発明に係るデジタルコンテンツ販売手法の概要について図１を用いて説明する。図１は、本発明に係るデジタルコンテンツ販売手法の概要を示す図である。同図に示すように、本発明に係るデジタルコンテンツ販売手法では、デジタルコンテンツの選択画面を利用者の購入履歴に基づいて表示することとしている。
【００２９】
たとえば、同図の（Ａ）に示すように、本発明に係るデジタルコンテンツ販売手法では、利用者の購入履歴として、利用者が購入したデジタルコンテンツを利用者が所持する携帯端末装置の識別情報（以下、「ＩＤｍ」と記載する）と関連付けて記憶している。
【００３０】
ここで、同図の（Ａ）に示した場合には、ＩＤｍ「９９９９」と関連付けて、コンテンツ名「○○物語  第４話  「ＤＤＤ」」とコンテンツ名「○○物語  第３話  「ＣＣＣ」」とがそれぞれ記憶されている。かかる購入履歴によって、ＩＤｍ「９９９９」の携帯端末装置を所持する利用者が、シリーズ「○○物語」の第４話まで購入済みであることがわかる。
【００３１】
つづいて、同図の（Ｂ）に示すように、利用者がデジタルコンテンツ販売装置に対して携帯端末装置のかざし操作を行うと（同図の（１）参照）、デジタルコンテンツ販売装置は、かかる携帯端末装置からＩＤｍを読み取る。ここでは、デジタルコンテンツ販売装置が、ＩＤｍ「９９９９」を読み取ったものとする。
【００３２】
そして、デジタルコンテンツ販売装置は、読み取ったＩＤｍをキー情報として利用者の購入履歴を特定し（同図の（２）参照）、特定した購入履歴に基づいてデジタルコンテンツの選択画面を表示する（同図の（３）参照）。
【００３３】
具体的には、デジタルコンテンツ販売装置は、同図の（Ｂ）に示したように、利用者が前回購入したデジタルコンテンツの続編を選択候補として含んだ選択画面を表示する。ここでは、同図の（Ａ）に示したように、ＩＤｍ「９９９９」の携帯端末装置を所持する利用者が前回購入したデジタルコンテンツは、「○○物語  第４話  「ＤＤＤ」」である。このため、デジタルコンテンツ販売装置は、かかるデジタルコンテンツの続編に相当する「○○物語  第５話  「ＥＥＥ」」を選択候補として含んだ選択画面を表示する。
【００３４】
なお、デジタルコンテンツ販売装置は、前回購入したデジタルコンテンツの続編に限らず、前回購入したデジタルコンテンツと同一の作者の他のシリーズや前回購入したデジタルコンテンツと同一のジャンルの他のデジタルコンテンツを選択候補として含んだ選択画面を表示することもできる。かかる点については、実施例において後述する。
【００３５】
また、デジタルコンテンツ販売装置は、前回購入したデジタルコンテンツの購入履歴だけでなく、同じ場所で購入したデジタルコンテンツの購入履歴や同じ曜日に購入したデジタルコンテンツの購入履歴に基づいて選択画面を表示することとしてもよい。かかる点についても、実施例において後述する。
【００３６】
ところで、本発明に係るデジタルコンテンツ販売手法では、利用者の拘束時間を短縮するために、デジタルコンテンツの購入権利をデジタルコンテンツ販売装置で販売し、購入権利を得た利用者がデジタルコンテンツの取得を事後的に行うこととしている。
【００３７】
具体的には、デジタルコンテンツ販売装置は、デジタルコンテンツの購入手続きが完了すると、所定の二次元コードが付加されたレシート（以下、「ダウンロード券」と記載する）を利用者に対して発行する。そして、利用者は、携帯端末装置を用いて二次元コードを読み取るとともに二次元コードに含まれる取得先ＵＲＬ（Uniform Resource Locator）へアクセスすることで、購入したデジタルコンテンツを事後的に携帯端末装置へダウンロードさせることができる。
【００３８】
ここで、二次元コードに含まれる取得先ＵＲＬには、デジタルコンテンツを識別するコンテンツＩＤが含まれている。そこで、本発明に係るデジタルコンテンツ販売手法では、かかるダウンロード券から利用者が購入したデジタルコンテンツを特定し、特定したデジタルコンテンツに関連する他のデジタルコンテンツを選択候補として含んだ選択画面を表示することとしてもよい。
【００３９】
具体的には、デジタルコンテンツ販売装置は、利用者によってダウンロード券のかざし操作が行われた場合に、かかるダウンロード券に付加された二次元コードを読み取り、読み取った二次元コードに含まれる取得先ＵＲＬからコンテンツＩＤを取り出すことによって、利用者が購入したデジタルコンテンツを特定する。
【００４０】
そして、デジタルコンテンツ販売装置は、利用者が購入したデジタルコンテンツの続編や同一の作者の他のシリーズ、同一のジャンルの他のデジタルコンテンツ等を選択候補として含んだ選択画面を表示する。このように、デジタルコンテンツ販売装置は、携帯端末装置のＩＤｍだけでなく、ダウンロード券に付加された二次元コードをキー情報として利用者の購入履歴を特定することができる。
【００４１】
このように、本発明に係るデジタルコンテンツ販売手法では、利用者が所持する携帯端末装置やダウンロード券といった情報媒体からキー情報を読み取り、読み取ったキー情報に基づいて利用者の購入履歴を特定し、特定した購入履歴に基づいてデジタルコンテンツの選択画面を表示することとした。したがって、デジタルコンテンツを購入するまでの操作ステップが少なくなる結果、利用者の拘束時間を短縮することができる。
【００４２】
なお、本発明に係るデジタルコンテンツ販売手法では、利用者によってお気に入りに指定されたシリーズ（たとえば、「○○物語」など）の購入履歴を優先的に使用して選択画面を表示することもできる。また、本発明に係るデジタルコンテンツ販売手法では、利用者が自宅の端末装置等を用いて作成したカスタマイズ画面をデジタルコンテンツ販売装置に表示させることもできる。これらの詳細については、実施例において後述することとする。
【００４３】
以下では、図１を用いて説明したデジタルコンテンツ販売手法を適用したデジタルコンテンツ販売装置についての実施例を詳細に説明する。なお、以下の実施例では、デジタルコンテンツ販売装置と接続されたプロキシサーバが、デジタルコンテンツの選択画面を生成してデジタルコンテンツ販売装置へ送信する場合について説明するが、選択画面の生成は、デジタルコンテンツ販売装置が行ってもよい。
【実施例】
【００４４】
図２は、本実施例に係るデジタルコンテンツ販売システムのネットワーク構成を示す図である。同図に示すように、本実施例に係るデジタルコンテンツ販売システムは、デジタルコンテンツ販売装置１０と、プロキシサーバ２０と、コンテンツサーバ３０ａ〜３０ｃとを含んでいる。
【００４５】
デジタルコンテンツ販売装置１０は、携帯端末装置向けのデジタルコンテンツを販売する装置であり、主に、駅の構内やコンビニエンスストア等に設置される。かかるデジタルコンテンツ販売装置１０は、インターネット等の外部ネットワークを介してプロキシサーバ２０に接続されている。
【００４６】
プロキシサーバ２０は、コンテンツサーバ３０ａ〜３０ｃへのアクセスを一元管理するサーバ装置であり、主に、コンテンツサーバ３０ａ〜３０ｃへの不正なアクセスを遮断する役割を担っている。かかるプロキシサーバ２０は、利用者が所持する携帯端末装置と無線通信網等の外部ネットワークを介して接続されるとともに、コンテンツサーバ３０ａ〜３０ｃとインターネット等の外部ネットワークを介して接続されている。
【００４７】
コンテンツサーバ３０ａ〜３０ｃは、複数のデジタルコンテンツを保有するサーバ装置であり、プロキシサーバ２０によって認証された携帯端末装置に対してプロキシサーバ２０経由でデジタルコンテンツを配信する。なお、コンテンツサーバ３０ａ〜３０ｃは、各デジタルコンテンツ配信業者によって個別に管理されている。以下では、コンテンツサーバ３０ａ〜３０ｃのうち任意のコンテンツサーバ３０ａ〜３０ｃを単に「コンテンツサーバ３０」と記載する。
【００４８】
ここで、利用者がデジタルコンテンツ販売装置１０でデジタルコンテンツを購入してから購入したデジタルコンテンツを携帯端末装置へダウンロードするまでの手順の概要を図２を用いて説明しておく。
【００４９】
図２に示したように、利用者は、購入するデジタルコンテンツを選択すると、自分の携帯端末装置がかかるデジタルコンテンツに対応するか否かの機種チェックあるいは電子決済のために、デジタルコンテンツ販売装置１０に対して携帯端末装置のかざし操作を行う（同図の（１）参照）。このとき、デジタルコンテンツ販売装置１０は、携帯端末装置からＩＤｍを読み取る。
【００５０】
また、デジタルコンテンツ販売装置１０は、デジタルコンテンツの購入手続きが完了すると、ダウンロード券を発行する（同図の（２）参照）。かかるダウンロード券には、デジタルコンテンツの取得先ＵＲＬを含んだ二次元コードが付加されている。
【００５１】
つづいて、利用者は、ダウンロード券を受け取ると、ダウンロード券に付加された二次元コードを携帯端末装置を用いて読み取る（同図の（３）参照）。そして、利用者は、読み取った二次元コードに含まれる取得先ＵＲＬへアクセスすることによってコンテンツサーバ３０からプロキシサーバ２０経由でデジタルコンテンツをダウンロードする（同図の（４）参照）。
【００５２】
このように、利用者は、ダウンロード券を受け取りさえすれば、デジタルコンテンツ販売装置１０によって拘束されることなく、好きな場所やタイミングでデジタルコンテンツのダウンロードを行うことができる。
【００５３】
なお、ダウンロード券には、二次元コードだけでなく所定のアクセスコードも付加されている。ここで、アクセスコードとは、ダウンロード券毎に割り当てられるシリアル番号であり、複数の携帯端末装置によるダウンロード券の使い回しを防止するために用いられる。
【００５４】
具体的には、デジタルコンテンツ販売装置１０は、複数のアクセスコードを含んだアクセスコードリストを有しており、ダウンロード券の発行毎に、アクセスコードリストからアクセスコードを１つ取り出してダウンロード券へ付加する。また、プロキシサーバ２０も、デジタルコンテンツ販売装置１０と同一のアクセスコードリストを有している。
【００５５】
ここで、利用者は、取得先ＵＲＬへアクセスした場合に、アクセス先のページにてアクセスコードの入力を行う。一方、プロキシサーバ２０は、利用者によって入力されたアクセスコードをアクセスコードリストと照合し、一致するアクセスコードが存在する場合に利用者を認証する。そして、プロキシサーバ２０は、利用者を認証した場合にのみデジタルコンテンツのダウンロードを許可する。
【００５６】
また、プロキシサーバ２０は、利用者を認証した場合に、かかる利用者の携帯端末装置のＩＤｍとアクセスコードとを関連付けて記憶する。これによって、他の携帯端末装置によるダウンロード券の使い回しを防止することができる。
【００５７】
次に、本実施例に係るデジタルコンテンツ販売装置１０およびプロキシサーバ２０の構成について図３を用いて説明する。図３は、デジタルコンテンツ販売装置１０およびプロキシサーバ２０の構成を示すブロック図である。なお、同図には、デジタルコンテンツ販売装置１０およびプロキシサーバ２０の特徴を説明するために必要な構成要素のみを示しており、一般的な構成要素についての記載を省略している。
【００５８】
同図に示すように、デジタルコンテンツ販売装置１０は、通信インタフェース１１と、リーダライタ部１２と、操作・表示部１３と、ダウンロード券排出部１４と、制御部１５とを備えている。また、制御部１５は、購入履歴特定部１５ａと、選択画面要求部１５ｂと、表示処理部１５ｃと、ダウンロード券発行部１５ｄとを備えている。
【００５９】
一方、プロキシサーバ２０は、通信インタフェース２１と、制御部２２と、記憶部２３とを備えている。また、制御部２２は、選択画面生成部２２ａと、選択画面送信部２２ｂと、購入履歴更新部２２ｃとを備えている。また、記憶部２３は、購入履歴情報２３ａとコンテンツリスト２３ｂとを記憶している。
【００６０】
以下では、まず、デジタルコンテンツ販売装置１０の各構成要素について説明する。通信インタフェース１１は、プロキシサーバ２０との間でデータの送受信を行う通信デバイスである。
【００６１】
リーダライタ部１２は、利用者が所持する携帯端末装置との間で近距離無線通信を行うデバイスである。具体的には、リーダライタ部１２は、利用者によるかざし操作によって通信リンクが確立した携帯端末装置からＩＤｍを読み取り、読み取ったＩＤｍを購入履歴特定部１５ａへ渡す。
【００６２】
また、リーダライタ部１２は、ダウンロード券に付加された二次元コードを読み取るデバイスでもある。具体的には、リーダライタ部１２は、利用者によってかざされたダウンロード券から二次元コードを読み取り、読み取った二次元コードに含まれる取得先ＵＲＬを購入履歴特定部１５ａへ渡す。
【００６３】
操作・表示部１３は、各種の画面を表示したり、選択された情報を制御部１５へ伝えたりするタッチパネルＬＣＤ（Liquid Crystal Display）等のデバイスである。具体的には、操作・表示部１３は、デジタルコンテンツの選択画面を表示処理部１５ｃから受け取ると、受け取った選択画面を表示する。また、操作・表示部１３は、利用者によって選択されたデジタルコンテンツのコンテンツＩＤをダウンロード券発行部１５ｄへ渡す。
【００６４】
ダウンロード券排出部１４は、ダウンロード券発行部１５ｄからの指示に応じて、ダウンロード券を発行し外部へ排出するデバイスである。
【００６５】
制御部１５は、デジタルコンテンツ販売装置１０全体を制御する制御部である。購入履歴特定部１５ａは、リーダライタ部１２からＩＤｍを受け取った場合に、受け取ったＩＤｍに基づいて利用者の購入履歴を特定する処理部である。具体的には、購入履歴特定部１５ａは、リーダライタ部１２から受け取ったＩＤｍをプロキシサーバ２０へ送信することで、かかるＩＤｍに対応する購入履歴を特定させる。
【００６６】
なお、ここでは、プロキシサーバ２０が購入履歴情報２３ａを一元管理するとともに、デジタルコンテンツ販売装置１０が、利用者の購入履歴をプロキシサーバ２０に対して特定させる場合について説明したが、これに限ったものではない。たとえば、デジタルコンテンツ販売装置１０側でも購入履歴情報を管理することとすれば、購入履歴特定部１５ａは、自装置に記憶された購入履歴情報を用いて利用者の購入履歴を特定することができる。
【００６７】
また、購入履歴特定部１５ａは、リーダライタ部１２から取得先ＵＲＬを受け取った場合には、受け取った取得先ＵＲＬからコンテンツＩＤを取り出すことによって、利用者が購入したデジタルコンテンツを特定するが、かかる点の詳細については、図１２を用いて説明することとする。
【００６８】
選択画面要求部１５ｂは、利用者による選択画面の指定操作を操作・表示部１３から受け取った場合に、指定内容に応じた選択画面の生成をプロキシサーバ２０に対して要求する処理部である。
【００６９】
たとえば、利用者は、前回購入したデジタルコンテンツの続編を含む選択画面、前回購入したデジタルコンテンツと同一の作者の他のシリーズを含む選択画面あるいは前回購入したデジタルコンテンツと同一のジャンルの他のデジタルコンテンツを含む選択画面の中から操作・表示部１３へ表示させたい選択画面を指定することができる。そして、選択画面要求部１５ｂは、利用者によって指定された選択画面を生成するようプロキシサーバ２０に対して要求する。
【００７０】
表示処理部１５ｃは、プロキシサーバ２０から送信された選択画面を受信して操作・表示部１３へ表示させる処理部である。
【００７１】
ダウンロード券発行部１５ｄは、デジタルコンテンツの購入手続きが完了した場合に、購入されたデジタルコンテンツの取得先ＵＲＬを含んだバーコードおよびアクセスコードが付加されたダウンロード券を発行する処理部である。
【００７２】
具体的には、ダウンロード券発行部１５ｄは、利用者が購入したデジタルコンテンツのコンテンツＩＤを操作・表示部１３から受け取り、受け取ったコンテンツＩＤに対応する二次元コードを生成するとともに、任意のアクセスコードをアクセスコードリストから取り出す。そして、ダウンロード券発行部１５ｄは、これら二次元コードおよびアクセスコードが付加されたダウンロード券を発行するようダウンロード券排出部１４に対して指示する。
【００７３】
また、ダウンロード券発行部１５ｄは、ダウンロード券の発行処理を終えると、利用者が購入したデジタルコンテンツのコンテンツＩＤやコンテンツ名あるいは購入日時等をリーダライタ部１２が読み取ったＩＤｍと関連付けた購入履歴をプロキシサーバ２０へ送信する。
【００７４】
次に、プロキシサーバ２０の各構成要素について説明する。通信インタフェース２１は、デジタルコンテンツ販売装置１０との間でデータの送受信を行う通信デバイスである。
【００７５】
制御部２２は、プロキシサーバ２０全体を制御する制御部である。選択画面生成部２２ａは、デジタルコンテンツ販売装置１０から受信したＩＤｍおよび選択画面の生成要求に従ってデジタルコンテンツの選択画面を生成する処理部である。
【００７６】
具体的には、選択画面生成部２２ａは、デジタルコンテンツ販売装置１０の購入履歴特定部１５ａからＩＤｍを受信すると、受信したＩＤｍに対応する購入履歴を購入履歴情報２３ａから特定する。また、選択画面生成部２２ａは、デジタルコンテンツ販売装置１０の選択画面要求部１５ｂから受信した選択画面生成要求に従い、利用者によって指定された選択画面を購入履歴情報２３ａから特定した購入履歴に基づいて生成する。
【００７７】
たとえば、前回購入したデジタルコンテンツの続編の選択画面を表示するよう要求された場合、選択画面生成部２２ａは、まず、利用者の購入履歴の中から利用者が前回購入したデジタルコンテンツの購入履歴を特定する。つづいて、選択画面生成部２２ａは、コンテンツリスト２３ｂを参照し、利用者が前回購入したデジタルコンテンツの続編に相当するデジタルコンテンツを特定し、特定したデジタルコンテンツを選択候補として含んだ選択画面を生成する。
【００７８】
また、選択画面生成部２２ａは、選択画面を生成すると、生成した選択画面を選択画面送信部２２ｂへ渡す処理も併せて行う。選択画面送信部２２ｂは、選択画面生成部２２ａから受け取った選択画面を通信インタフェース２１経由でデジタルコンテンツ販売装置１０へ送信する処理部である。
【００７９】
購入履歴更新部２２ｃは、デジタルコンテンツ販売装置１０から購入履歴を受信した場合に、受信した購入履歴を購入履歴情報２３ａに記憶する処理部である。
【００８０】
ここで、購入履歴に基づく選択画面表示処理の動作例について図４を用いて説明する。図４は、購入履歴情報に基づく選択画面表示処理の動作例を示した図である。なお、同図では、利用者が前回購入したデジタルコンテンツの続編を選択候補として含んだ選択画面を表示する場合の動作例について説明する。
【００８１】
また、同図の（Ａ）には、購入履歴情報２３ａの一例を、同図の（Ｂ）には、コンテンツリスト２３ｂの一例を、同図の（Ｃ）には、操作・表示部１３に表示される選択画面の一例をそれぞれ示している。
【００８２】
同図の（Ａ）に示したように、購入履歴情報２３ａは、携帯端末装置のＩＤｍごとに、「コンテンツＩＤ」項目と、「コンテンツ名」項目と、「購入日時」項目とを関連付けている。ここで、「コンテンツＩＤ」項目および「コンテンツ名」項目は、それぞれ利用者が購入したデジタルコンテンツのコンテンツＩＤおよびコンテンツ名が格納される項目である。また、「購入日時」項目は、利用者がデジタルコンテンツを購入した日時が格納される項目である。
【００８３】
また、「コンテンツ名」項目は、さらに「シリーズ」項目および「タイトル」項目を含んでいる。ここで、「シリーズ」項目および「タイトル」項目は、それぞれ利用者が購入したデジタルコンテンツのシリーズ名およびタイトル名が格納される項目である。
【００８４】
なお、同図の（Ａ）に示した場合には、コンテンツＩＤ「Ａ００４」、シリーズ「○○物語」タイトル「第４話  「ＤＤＤ」」および購入日時「２０１０／０４／２２  ０９：３０：００」がＩＤｍ「９９９９」と関連付けられている。また、同様に、コンテンツＩＤ「Ａ００３」、シリーズ「○○物語」、タイトル「第３話  「ＣＣＣ」」および購入日時「２０１０／０４／１５  ０９：１５：００」がＩＤｍ「９９９９」と関連付けられている。
【００８５】
デジタルコンテンツ販売装置１０では、リーダライタ部１２が、携帯端末装置からＩＤｍ「９９９９」を読み取ると、購入履歴特定部１５ａが、ＩＤｍ「９９９９」をプロキシサーバ２０へ送信する。また、デジタルコンテンツ販売装置１０では、選択画面要求部１５ｂが、利用者が前回購入したデジタルコンテンツの続編を選択候補として含んだ選択画面を生成するようプロキシサーバ２０に対して要求する。
【００８６】
一方、プロキシサーバ２０では、まず、選択画面生成部２２ａが、ＩＤｍ「９９９９」と関連付けられた購入履歴の中から利用者が前回購入したデジタルコンテンツの購入履歴を特定する（同図の（Ａ−１）参照）。
【００８７】
つづいて、選択画面生成部２２ａは、コンテンツリスト２３ｂを参照し、利用者が前回購入したデジタルコンテンツ「○○物語  第４話  「ＤＤＤ」」の続編に相当する「○○物語  第５話  「ＥＥＥ」」を選択候補として含んだ選択画面を生成する（同図の（Ｂ−１）参照）。また、プロキシサーバ２０では、選択画面送信部２２ｂが、選択画面生成部２２ａによって生成された選択画面をデジタルコンテンツ販売装置１０へ送信する。
【００８８】
そして、デジタルコンテンツ販売装置１０では、表示処理部１５ｃが、プロキシサーバ２０から受信した選択画面を操作・表示部１３へ表示させる。この結果、同図の（Ｃ）に示したように、操作・表示部１３には、「○○物語  第５話  「ＥＥＥ」」を選択候補として含んだ選択画面が表示される。また、同図の（Ｃ）に示したように、「○○物語  第４話  「ＤＤＤ」」は、購入済みのデジタルコンテンツとして表示される。
【００８９】
このように、表示処理部１５ｃが、購入履歴特定部１５ａによって特定されたデジタルコンテンツの続編を選択候補として含んだ選択画面を操作・表示部１３へ表示させることとした。このため、利用者が前回購入したデジタルコンテンツの続編を少ない操作ステップで選択させることができる結果、利用者の拘束時間を短縮することができる。また、購入したデジタルコンテンツの続きが見たいといった購入意欲をかきたてることができ、結果として、デジタルコンテンツ販売装置１０の収益を高めることができる。
【００９０】
また、デジタルコンテンツ販売装置１０は、前回購入されたデジタルコンテンツの続編だけでなく、前回購入されたデジタルコンテンツと同じ作者による他のシリーズや前回購入されたデジタルコンテンツと同じジャンルの他のデジタルコンテンツの選択画面を表示することもできる。以下では、かかる点について図５を用いて説明する。
【００９１】
図５は、購入履歴情報に基づく選択画面表示処理の他の動作例を示した図である。なお、同図の（Ａ）には、コンテンツリスト２３ｂの一例を、同図の（Ｂ）および同図の（Ｃ）には、操作・表示部１３に表示される選択画面の一例をそれぞれ示している。
【００９２】
同図の（Ａ）に示したように、コンテンツリスト２３ｂには、コンテンツＩＤごとに、「作者」項目と「ジャンル」項目とがさらに関連付けられている。ここで、「作者」項目は、デジタルコンテンツの作者の名称が格納される項目であり、「ジャンル」項目は、デジタルコンテンツのジャンルが格納される項目である。ここでは、作者「山田太郎」（同図の（Ａ−１）参照）およびジャンル「ファンタジー」（同図の（Ａ−２）参照）が、コンテンツＩＤ「Ａ００４」と関連付けられている。
【００９３】
デジタルコンテンツ販売装置１０では、同一の作者による他のシリーズの選択画面を表示するよう利用者から指定された場合には、選択画面要求部１５ｂが、かかる選択画面を生成するようプロキシサーバ２０に対して要求する。そして、プロキシサーバ２０では、選択画面生成部２２ａが、コンテンツリスト２３ｂを参照し、利用者が前回購入したデジタルコンテンツと同一の作者と関連付けられた他のシリーズを選択候補として含んだ選択画面を生成する。
【００９４】
この結果、同図の（Ｂ）に示したように、デジタルコンテンツ販売装置１０では、表示処理部１５ｃが、利用者が前回購入したデジタルコンテンツと同一の作者による他のシリーズを選択候補として含んだ選択画面を操作・表示部１３に対して表示させる。なお、同図の（Ｂ）に示した場合には、作者「山田太郎」による他のシリーズとして「○○物語２」や「○○物語３」といったシリーズを選択候補として含んだ選択画面が表示されている。
【００９５】
一方、同一のジャンルの他のデジタルコンテンツの選択画面を表示するよう利用者から指定された場合、選択画面要求部１５ｂは、かかる選択画面を生成するようプロキシサーバ２０に対して要求する。そして、プロキシサーバ２０では、選択画面生成部２２ａが、コンテンツリスト２３ｂを参照し、利用者が前回購入したデジタルコンテンツと同一のジャンルの他のデジタルコンテンツを選択候補として含んだ選択画面を生成する。
【００９６】
この結果、同図の（Ｃ）に示したように、デジタルコンテンツ販売装置１０では、表示処理部１５ｃが、利用者が前回購入したデジタルコンテンツと同一のジャンルの他のデジタルコンテンツを選択候補として含んだ選択画面を操作・表示部１３に対して表示させる。なお、同図の（Ｃ）に示した場合には、ジャンル「ファンタジー」の他のデジタルコンテンツとして「隣の×××」や「□□□姫」といったデジタルコンテンツを選択候補として含んだ選択画面が表示される。
【００９７】
このように、利用者の購入履歴に基づいてデジタルコンテンツの選択画面を表示することによって、利用者が所望のデジタルコンテンツを選択するまでの操作ステップが少なくなる結果、利用者の拘束時間を短縮することができる。ここで、利用者による操作・表示部１３への画面操作について図６を用いて説明しておく。
【００９８】
図６は、利用者による画面操作の一例を示す図である。なお、同図の（Ａ）には、従来と同様の画面操作の一例を、同図の（Ｂ）には、購入履歴に基づく選択画面表示処理を行う場合の画面操作の一例をそれぞれ示している。
【００９９】
同図の（Ａ）に示したように、利用者は、従来と同様の操作手順でデジタルコンテンツを選択する場合には、操作・表示部１３に表示された「通常検索」を押下する（同図の（Ａ−１）参照）。つづいて、利用者は、購入したいデジタルコンテンツのコンテンツ名を操作・表示部１３を用いて入力する（同図の（Ａ−２）参照）。
【０１００】
この結果、操作・表示部１３には、同一のコンテンツ名を含む複数のデジタルコンテンツが表示される（同図の（Ａ−３）。ここで、利用者は、操作・表示部１３に対して表示された選択候補の中に購入したいデジタルコンテンツが含まれていない場合には、「次へ」を押下してページを遷移させる。
【０１０１】
そして、利用者は、購入したいデジタルコンテンツを選択候補として含んだ選択画面に辿り着いたならば、かかる選択画面において購入したいデジタルコンテンツを選択する（同図の（Ａ−４）。このように、従来の操作手順では、所望のデジタルコンテンツを選択するまでに多くの操作ステップが必要となるため、利用者を長時間拘束することとなる。
【０１０２】
一方、同図の（Ｂ）に示したように、購入履歴に基づく選択画面表示処理を行う場合、利用者は、操作・表示部１３に表示された「履歴検索」を押下し（同図の（Ｂ−１）参照）、リーダライタ部１２に対して携帯端末装置のかざし操作を行う。
【０１０３】
つづいて、利用者は、表示すべき選択画面を指定する（同図の（Ｂ−２）参照）。具体的には、利用者は、前回購入したデジタルコンテンツの続編の選択画面を表示させたい場合には、「前回の続き」を押下する。同様に、利用者は、前回購入したデジタルコンテンツと同一の作者の他のシリーズの選択画面を表示させたい場合には、「前回と同じ作者」を押下し、前回購入したデジタルコンテンツと同一のジャンルの他のデジタルコンテンツの選択画面を表示させたい場合には、「前回と同じジャンル」を押下する。
【０１０４】
この結果、操作・表示部１３には、利用による指定操作に応じた選択画面が表示される（同図の（Ｂ−３）参照）。なお、同図の（Ｂ−３）に示した場合には、利用者が前回購入したデジタルコンテンツの続編を選択候補として含んだ選択画面が表示されている。
【０１０５】
このように、購入履歴に基づく選択画面表示処理を行うことによって、利用者は、所望のデジタルコンテンツを少ない操作ステップで選択することができ、この結果、利用者の拘束時間を短縮することができる。
【０１０６】
ところで、これまでは、利用者が前回購入したデジタルコンテンツの購入履歴に基づいて選択画面を表示する場合について説明したが、これに限ったものではなく、同じ場所で購入したデジタルコンテンツの購入履歴や同じ曜日に購入したデジタルコンテンツの購入履歴に基づいて選択画面を表示することとしてもよい。
【０１０７】
以下では、かかる点について図７を用いて説明する。図７は、購入履歴情報に基づく選択画面表示処理の他の動作例を示した図である。なお、同図の（Ａ）には、購入履歴情報２３ａの一例を、同図の（Ｂ）には、デジタルコンテンツ販売装置１０の動作例をそれぞれ示している。
【０１０８】
同図の（Ａ）に示したように、購入履歴情報２３ａは、携帯端末装置のＩＤｍに対して「購入場所」項目および「購入曜日」項目をさらに関連付けている。ここで、「購入場所」項目は、利用者に対してデジタルコンテンツの販売を行ったデジタルコンテンツ販売装置１０の設置区域が格納される項目である。同図に示した場合には、「××駅」や「▽▽駅」が格納されている。また、「購入曜日」項目は、利用者がデジタルコンテンツを購入した曜日が格納される項目である。
【０１０９】
なお、デジタルコンテンツ販売装置１０では、自装置の設置区域を予め記憶しているものとする。また、ダウンロード券発行部１５ｄは、購入履歴をプロキシサーバ２０へ送信する場合には、自装置の設置区域を含んだ購入履歴を送信するものとする。
【０１１０】
ここで、同図の（Ｂ−１）に示したように、利用者が、▽▽駅の構内に設置されたデジタルコンテンツ販売装置１０に対して携帯端末装置のかざし操作を行ったとする。かかる場合、デジタルコンテンツ販売装置１０では、購入履歴特定部１５ａが、リーダライタ部１２によって読み取られたＩＤｍ「９９９９」および自装置の設置区域をプロキシサーバ２０へ送信する。
【０１１１】
一方、プロキシサーバ２０では、選択画面生成部２２ａが、ＩＤｍ「９９９９」と関連付けられた購入履歴（同図の（Ａ）に示した購入履歴）を特定する。また、選択画面生成部２２ａは、特定した購入履歴の中からデジタルコンテンツ販売装置１０と同一の設置区域（購入場所）と関連付けられた購入履歴をさらに特定する。ここでは、選択画面生成部２２ａは、▽▽駅と関連付けられた購入履歴を特定する（同図の（Ａ−１）参照）。
【０１１２】
また、選択画面生成部２２ａは、特定した購入履歴に含まれるコンテンツに関連する他のデジタルコンテンツを選択候補として含んだ選択画面を生成してデジタルコンテンツ販売装置１０へ送信する。この結果、操作・表示部１３には、利用者が同じ場所で購入したデジタルコンテンツに関連する他のデジタルコンテンツを選択候補として含んだ選択画面が表示される。
【０１１３】
たとえば、同図の（Ｂ−１）に示したように、操作・表示部１３には、利用者が▽▽駅で購入したデジタルコンテンツ「□□新聞  ４月１７日号」の次号に相当する「□□新聞  ４月２４日号」を選択候補として含んだ選択画面が表示される。
【０１１４】
このように、購入履歴特定部１５ａが、デジタルコンテンツを販売したデジタルコンテンツ販売装置１０の設置区域をさらに含んだ購入履歴から、リーダライタ部１２によって読み取られたＩＤｍと関連付けられたデジタルコンテンツのうち、自装置と同一の設置区域と関連付けられたデジタルコンテンツを特定し、表示処理部１５ｃが、購入履歴特定部１５ａによって特定されたデジタルコンテンツに関連する他のデジタルコンテンツを操作・表示部１３へ表示させることとした。したがって、購入場所ごとに異なるデジタルコンテンツを購入する利用者に対してデジタルコンテンツの選択画面を適切に表示させることができる。
【０１１５】
一方、同図の（Ｂ−２）に示したように、利用者が、デジタルコンテンツ販売装置１０に対して携帯端末装置のかざし操作を行った曜日が月曜日であったとする。かかる場合、プロキシサーバ２０では、選択画面生成部２２ａが、ＩＤｍ「９９９９」と関連付けられた購入履歴の中から現在曜日と関連付けられた購入履歴をさらに特定する。ここでは、選択画面生成部２２ａは、現在曜日である月曜日と関連付けられた購入履歴を特定する（同図の（Ａ−２）参照）。
【０１１６】
そして、選択画面生成部２２ａは、特定した購入履歴に含まれるコンテンツに関連する他のデジタルコンテンツを選択候補として含んだ選択画面を生成してデジタルコンテンツ販売装置１０へ送信する。この結果、操作・表示部１３には、利用者が同じ曜日に購入したデジタルコンテンツに関連する他のデジタルコンテンツを選択候補として含んだ選択画面が表示される。
【０１１７】
たとえば、同図の（Ｂ−２）に示したように、操作・表示部１３には、利用者が月曜日に購入したデジタルコンテンツ「△△武者  第１３話  「ｍｍｍ」」の続編に相当する「△△武者  第１４話  「ｎｎｎ」を選択候補として含んだ選択画面が表示される。
【０１１８】
次に、デジタルコンテンツ販売装置１０およびプロキシサーバ２０の具体的動作について図８を用いて説明する。図８は、デジタルコンテンツ販売装置およびプロキシサーバ間で実行される処理手順を示すシーケンス図である。
【０１１９】
図８に示すように、デジタルコンテンツ販売装置１０では、リーダライタ部１２が、携帯端末装置からＩＤｍを読み取ると（ステップＳ１０１）、購入履歴特定部１５ａが、リーダライタ部１２によって読み取られたＩＤｍをプロキシサーバ２０へ送信する（ステップＳ１０２）。また、プロキシサーバ２０では、選択画面生成部２２ａが、デジタルコンテンツ販売装置１０から受信したＩＤｍと関連付けられた購入履歴を購入履歴情報２３ａから特定する（ステップＳ１０３）。
【０１２０】
つづいて、デジタルコンテンツ販売装置１０では、操作・表示部１３が、表示すべき選択画面の指定操作を取得すると（ステップＳ１０４）、選択画面要求部１５ｂが、指定内容に応じた選択画面生成要求をプロキシサーバ２０に対して送信する（ステップＳ１０５）。また、プロキシサーバ２０では、選択画面生成部２２ａが、選択画面生成要求に従い、ステップＳ１０３において特定した購入履歴を用いてデジタルコンテンツの選択画面を生成する（ステップＳ１０６）。
【０１２１】
そして、プロキシサーバ２０では、選択画面送信部２２ｂが、選択画面生成部２２ａによって生成された選択画面をデジタルコンテンツ販売装置１０へ送信し（ステップＳ１０７）、デジタルコンテンツ販売装置１０では、表示処理部１５ｃが、受信した選択画面を操作・表示部１３へ表示させて（ステップＳ１０８）、処理を終える。
【０１２２】
このように、リーダライタ部１２が、利用者が所持する携帯端末装置からＩＤｍをキー情報として読み取り、購入履歴特定部１５ａが、リーダライタ部１２によって読み取られたＩＤｍと関連付けられたデジタルコンテンツを購入履歴情報２３ａから特定し、表示処理部１５ｃが、購入履歴特定部１５ａによって特定されたデジタルコンテンツに関連する他のデジタルコンテンツを選択候補として含んだ選択画面を操作・表示部１３へ表示させることとした。
【０１２３】
このため、利用者は、少なくともデジタルコンテンツ販売装置１０に対して携帯端末装置をかざすだけで、所望のデジタルコンテンツを選択することができる。したがって、利用者がデジタルコンテンツを選択するまでの操作ステップが少なくなる結果、利用者の拘束時間を短縮することができる。
【０１２４】
ところで、本実施例に係るデジタルコンテンツ販売システムでは、利用者によってお気に入りに指定されたシリーズの購入履歴を優先的に使用して選択画面を表示することもできる。以下では、かかる場合について図９を用いて説明する。図９は、お気に入り指定に基づく優先表示処理の動作例を示した図である。
【０１２５】
なお、同図の（Ａ）には、操作・表示部１３に表示されるお気に入り指定画面の一例を、同図の（Ｂ）には、購入履歴情報２３ａの一例を、同図の（Ｃ）には、デジタルコンテンツ販売装置１０の動作例をそれぞれ示している。
【０１２６】
同図の（Ａ）に示したように、表示処理部１５ｃは、デジタルコンテンツの購入手続きが完了すると、操作・表示部１３に対してお気に入り指定画面を表示させる。そして、利用者は、購入したデジタルコンテンツのシリーズ（ここでは、「△△武者」）を継続して購入したい場合には、お気に入り指定画面に表示された「はい」を押下することによってかかるシリーズをお気に入りに指定する。
【０１２７】
一方、デジタルコンテンツ販売装置１０では、利用者からお気に入りの指定操作を受け付けると、ダウンロード券発行部１５ｄが、お気に入りに指定された旨の情報をさらに含んだ購入履歴を生成してプロキシサーバ２０へ送信する。この結果、同図の（Ｂ）に示したように、購入履歴情報２３ａには、さらに「お気に入り指定」項目がＩＤｍと関連付けられる。
【０１２８】
そして、同図の（Ｃ）に示したように、利用者が、後日、デジタルコンテンツ販売装置１０に対して携帯端末装置のかざし操作を行うと、デジタルコンテンツ販売装置１０では、購入履歴特定部１５ａが、携帯端末装置から読み取られたＩＤｍをプロキシサーバ２０へ送信する。また、プロキシサーバ２０では、選択画面生成部２２ａが、受信したＩＤｍと関連付けられた購入履歴の中から、お気に入りに指定されたデジタルコンテンツの購入履歴を特定する（同図の（Ｂ−１）参照）。
【０１２９】
そして、プロキシサーバ２０では、選択画面生成部２２ａが、特定した購入履歴に含まれるデジタルコンテンツに関連する他のデジタルコンテンツを選択候補として含んだ選択画面を生成し、選択画面送信部２２ｂが、生成された選択画面をデジタルコンテンツ販売装置１０へ送信する。この結果、同図の（Ｃ）に示したように、操作・表示部１３には、利用者によってお気に入りに指定されたデジタルコンテンツの選択画面が優先的に表示されることとなる。
【０１３０】
このように、ダウンロード券発行部１５ｄが、利用者によって購入されたデジタルコンテンツをかかる利用者からの操作に応じてお気に入りのデジタルコンテンツとして指定し、購入履歴特定部１５ａが、リーダライタ部１２によって読み取られたＩＤｍと関連付けられたデジタルコンテンツの中からお気に入りのデジタルコンテンツとして指定されたデジタルコンテンツを特定することとした。したがって、たとえば、利用者が継続的に購入しようとしているデジタルコンテンツの選択画面など、利用者により適した選択画面を表示させることができる。
【０１３１】
また、本実施例に係るデジタルコンテンツ販売システムでは、利用者が自宅の端末装置等を用いて作成したカスタマイズ画面をデジタルコンテンツ販売装置１０に表示させることもできる。以下では、かかる点について、図１０を用いて説明する。
【０１３２】
図１０は、カスタマイズ画面の表示処理の動作例を示した図である。なお、同図の（Ａ）には、カスタマイズ画面の登録手順の一例を、同図の（Ｂ）には、デジタルコンテンツ販売装置１０の動作例を、同図の（Ｃ）には、カスタマイズ画面の一例をそれぞれ示している。
【０１３３】
同図の（Ａ）に示したように、利用者は、ＰＣ（Personal Computer）等の端末装置を用いて自宅でカスタマイズ画面の登録を行うことができる。たとえば、利用者は、端末装置を用いて所定のＷｅｂページへアクセスし、かかるＷｅｂページ上で、カスタマイズ画面に含めるデジタルコンテンツを選択する（同図の（Ａ−１）参照）。たとえば、利用者は、シリーズ「○○物語」、「△△武者」および「□□新聞」を継続的に購入したい場合には、これらのシリーズをカスタマイズ画面に含めるデジタルコンテンツとして選択する。
【０１３４】
また、利用者によるカスタマイズ画面の作成が完了すると、プロキシサーバ２０は、作成されたカスタマイズ画面の登録を行う（同図の（Ａ−２）参照）。具体的には、プロキシサーバ２０は、作成されたカスタマイズ画面を利用者が所持する携帯端末のＩＤｍおよびカスタマイズ画面ごとに発行されるパスワードと関連付けて記憶する。
【０１３５】
一方、利用者は、デジタルコンテンツ販売装置１０を利用する場合に、プロキシサーバ２０によって発行されたパスワードを操作・表示部１３へ入力する。
【０１３６】
また、デジタルコンテンツ販売装置１０は、利用者によって入力されたパスワードを取得すると（同図の（Ｂ−１）参照）、取得したパスワードをプロキシサーバ２０へ送信し、対応するカスタマイズ画面をプロキシサーバ２０から取得する（同図の（Ｂ−２）参照）。そして、デジタルコンテンツ販売装置１０では、表示処理部１５ｃが、プロキシサーバ２０から取得したカスタマイズ画面を操作・表示部１３へ表示させる（同図の（Ｂ−３）参照）。
【０１３７】
この結果、同図の（Ｃ）に示したように、操作・表示部１３には、利用者が自分でカスタマイズしたカスタマイズ画面が表示されることとなる。なお、同図の（Ｃ）に示した場合には、利用者が継続的に購入する予定のデジタルコンテンツ「○○物語」、「△△武者」および「□□新聞」が表示されている。
【０１３８】
このように、表示処理部１５ｃが、利用者によって予め指定されたデジタルコンテンツを選択項目として含んだカスタマイズ画面を所定のパスワードと関連付けたカスタマイズ情報から利用者によって入力されたパスワードと関連付けられたカスタマイズ画面を取得して操作・表示部１３へ表示させることとした。
【０１３９】
したがって、利用者は、自分好みにカスタマイズされた選択画面を表示させることができ、所望のデジタルコンテンツを迅速に選択することができる。また、カスタマイズ画面をデジタルコンテンツ販売装置１０で作成するのではなく、端末装置を用いて自宅で予め作成しておくこととしたため、カスタマイズ画面を作成しようとする利用者によってデジタルコンテンツ販売装置１０が占領されるおそれもない。
【０１４０】
なお、カスタマイズ画面の登録時に発行されるパスワードは、Ｗｅｂ上で公開することとしてもよい。たとえば、Ｗｅｂ上で「○○さんのおすすめコンテンツメニュー」としてカスタマイズ画面の内容をパスワードとともに公開し、気に入ったカスタマイズ画面があればかかるカスタマイズ画面のパスワードを控えて、デジタルコンテンツ販売装置１０へ入力することによって、気に入ったカスタマイズ画面をデジタルコンテンツ販売装置１０に表示させることができる。
【０１４１】
ところで、これまでは、リーダライタ部１２が読み取ったＩＤｍをキー情報として利用者の購入履歴を特定する場合について説明してきたが、これに限ったものではなく、デジタルコンテンツ販売装置１０は、ダウンロード券に付加された二次元コードをキー情報として利用者の購入履歴を特定することもできる。
【０１４２】
以下では、かかる点について図１１を用いて説明する。図１１は、ダウンロード券を用いた選択画面表示処理の動作例を示す図である。なお、同図の（Ａ）には、ダウンロード券に付加された二次元コードに含まれる取得先ＵＲＬの一例を、同図の（Ｂ）には、デジタルコンテンツ販売装置１０の動作例をそれぞれ示している。
【０１４３】
同図の（Ａ）に示したように、ダウンロード券に付加された二次元コードには、利用者が購入したデジタルコンテンツの取得先ＵＲＬが含まれている。また、かかる取得先ＵＲＬは、利用者が購入したデジタルコンテンツのコンテンツＩＤを含んでいる（同図の（Ａ−１）参照）。
【０１４４】
そして、同図の（Ｂ）に示したように、利用者が、前回購入したデジタルコンテンツのダウンロード券をデジタルコンテンツ販売装置１０へかざすと、デジタルコンテンツ販売装置１０では、リーダライタ部１２が、ダウンロード券に付加された二次元コードの読み取りを行う（同図の（Ｂ−１）参照）。
【０１４５】
つづいて、購入履歴特定部１５ａは、リーダライタ部１２によって読み取られた二次元コードに含まれる取得先ＵＲＬからコンテンツＩＤを特定し（同図の（Ｂ−２）参照）、特定したコンテンツＩＤをプロキシサーバ２０へ送信する。
【０１４６】
つづいて、利用者による選択画面の指定操作を受け付けると、選択画面要求部１５ｂは、選択画面の生成をプロキシサーバ２０に対して要求する（同図の（Ｂ−３）参照）。また、プロキシサーバ２０の選択画面生成部２２ａは、選択画面要求部１５ｂからの要求に従い、購入履歴特定部１５ａから取得したコンテンツＩＤに対応するデジタルコンテンツに関連する他のデジタルコンテンツを選択候補として含んだ選択画面を生成する。
【０１４７】
そして、プロキシサーバ２０では、選択画面送信部２２ｂが、生成された選択画面をデジタルコンテンツ販売装置１０へ送信し、デジタルコンテンツ販売装置１０では、表示処理部１５ｃが、プロキシサーバ２０から受信した選択画面を操作・表示部１３へ表示させる（同図の（Ｂ−４）参照）。
【０１４８】
このように、ダウンロード券発行部１５ｄが、購入されたデジタルコンテンツの取得先ＵＲＬを含んだバーコードが付加されたダウンロード券を発行し、リーダライタ部１２が、利用者が所持するダウンロード券から二次元コードをキー情報として読み取る。また、購入履歴特定部１５ａが、リーダライタ部１２によって読み取られた二次元コードに含まれる取得先ＵＲＬに基づいて利用者が購入したデジタルコンテンツを特定し、表示処理部１５ｃが、購入履歴特定部１５ａによって特定されたデジタルコンテンツに関連する他のデジタルコンテンツを選択候補として含んだ選択画面を操作・表示部１３へ表示させることとした。
【０１４９】
したがって、利用者は、少なくともダウンロード券に付加されたバーコードをデジタルコンテンツ販売装置１０に対して読み取らせるだけで、所望のデジタルコンテンツを選択することができる。また、利用者が携帯端末装置を所持していない場合、あるいは、携帯端末装置の扱いに不慣れな場合であっても、購入履歴に基づくデジタルコンテンツの選択画面を表示させることができる。
【０１５０】
上述してきたように、本実施例では、リーダライタ部１２が、利用者が所持する所定の情報媒体からキー情報を読み取り、購入履歴特定部１５ａが、リーダライタ部１２によって読み取られたキー情報に基づいて利用者の購入履歴を特定し、表示処理部１５ｃが、購入履歴特定部１５ａによって特定された購入履歴に基づいてデジタルコンテンツの選択画面を操作・表示部１３へ表示させることとした。したがって、利用者の拘束時間を短縮させることができる。
【０１５１】
なお、上述してきた実施例では、プロキシサーバ２０のみが購入履歴情報２３ａを管理する場合について説明してきたが、これに限ったものではなく、デジタルコンテンツ販売装置１０側でもプロキシサーバ２０と同様の購入履歴情報２３ａを管理することとしてもよい。このようにすれば、購入履歴特定部１５ａは、プロキシサーバ２０に対して問い合わせることなく、自装置に記憶された購入履歴情報２３ａを用いて利用者の購入履歴を特定することができる。
【０１５２】
特に、二次元コードに購入履歴が含まれる場合には、デジタルコンテンツ販売装置１０で購入履歴を管理することなく、二次元コードを読み取るだけで選択画面の作成を行うことができるため、購入履歴の管理を行う必要がなくなり、さらに利便性を高めることができる。
【０１５３】
また、上述してきた実施例では、プロキシサーバ２０が選択画面を生成し、デジタルコンテンツ販売装置１０がプロキシサーバ２０によって生成された選択画面を表示することとしたが、デジタルコンテンツ販売装置１０が、選択画面を生成することとしてもよい。かかる場合には、デジタルコンテンツ販売装置１０が、購入履歴情報２３ａおよびコンテンツリスト２３ｂを記憶するとともに、選択画面生成部２２ａと同様の機能を備えていればよい。
【０１５４】
また、購入の際の決済方法については、一般的な自動販売機と同じように現金を投入することによって所望のデジタルコンテンツを購入することとしてもよいし、電子マネー等の現金以外でも購入可能としてもよい。また、電子マネー機能を搭載した携帯端末装置を用いる場合には、購入履歴の取得と電子マネーによる決済とを同時に行うこととしてもよい。
【産業上の利用可能性】
【０１５５】
以上のように、本発明に係るデジタルコンテンツ販売装置、デジタルコンテンツ販売方法およびデジタルコンテンツ販売システムは、利用者の拘束時間を短縮したい場合に有用であり、特に、携帯端末装置向けのデジタルコンテンツを販売する場合に適している。
【符号の説明】
【０１５６】
１０    デジタルコンテンツ販売装置
１１    通信インタフェース
１２    リーダライタ部
１３    操作・表示部
１４    ダウンロード券排出部
１５    制御部
１５ａ  購入履歴特定部
１５ｂ  選択画面要求部
１５ｃ  表示処理部
１５ｄ  ダウンロード券発行部
２０    プロキシサーバ
２１    通信インタフェース
２２    制御部
２２ａ  選択画面生成部
２２ｂ  選択画面送信部
２２ｃ  購入履歴更新部
２３    記憶部
２３ａ  更新履歴情報
２３ｂ  コンテンツリスト
【図１】
2011258028.tif 000003
【図２】
2011258028.tif 000004
【図３】
2011258028.tif 000005
【図４】
2011258028.tif 000006
【図５】
2011258028.tif 000007
【図６】
2011258028.tif 000008
【図７】
2011258028.tif 000009
【図８】
2011258028.tif 000010
【図９】
2011258028.tif 000011
【図１０】
2011258028.tif 000012
【図１１】
2011258028.tif 000013